(57)【要約】      （修正有）【課題】  移動時に戸が横振れせず、閉鎖時に強い風が吹いても戸が煽られ難く、しかも下枠が歩行者や車椅子の通行の妨げとならない上吊引戸の提供。【解決手段】  下枠１と戸２を備え、下枠１は凸状のレール３を有し、戸の下部には振れ止め４を設けてあり、振れ止め４は、レール３上を走行する戸車５と、戸車の室内側と室外側に設けた突部６とを有し、突部６は戸車５より下方に突出してレール３の室内側と室外側に位置しており、且つ、振れ止め４はバネ７により下方に付勢してあり、下枠１は、戸２の閉鎖時における振れ止め４の下方位置に振れ止めの突部６を収納する凹部８を有し、レール３は、戸２が閉鎖した際に振れ止め４が下方に移動できるように、凹部８に隣接した部分が凹部８に向かって下方に傾斜していることを特徴とする。【選択図】図１（ａ）（ｂ）
2005299077.tif 000002
【特許請求の範囲】
【請求項１】
下枠と戸を備え、下枠は凸状のレールを有し、戸の下部には振れ止めを設けてあり、振れ止めは、レール上を走行する戸車と、戸車の室内側と室外側に設けた突部とを有し、突部は戸車より下方に突出してレールの室内側と室外側に位置しており、且つ、振れ止めはバネにより下方に付勢してあり、下枠は、戸の閉鎖時における振れ止めの下方位置に振れ止めの突部を収納する凹部を有し、レールは、戸が閉鎖した際に振れ止めが下方に移動できるように、凹部に隣接した部分が凹部に向かって下方に傾斜していることを特徴とする上吊引戸。
【請求項２】
下枠は、レールの幅が戸車の幅より大きく、レールの室内側と室外側に突部と対向する平坦面を有すると共に、室内側と室外側の縁部に向かって上方に傾斜する傾斜面を有し、室内側と室外側の縁部の高さがレールと略同じ高さとなっていることを特徴とする請求項１記載の上吊引戸。
【発明の詳細な説明】
【技術分野】
【０００１】
本発明は、上吊引戸に関するもので、より詳しくは上吊引戸における障子下部側のガイド機構の改良に関する。
【背景技術】
【０００２】
引戸の一形態として、上枠のレールに障子を吊下げて障子の開閉を行う上吊引戸があり、例えば建物の出入口に設置される自動ドアは、一般に上吊引戸の形態をとっている。自動ドアの障子は、上部に設けた戸車を上枠のレールに引っ掛けて吊下げられ、上枠に内蔵したリニアモータ等の駆動機構の働きによって左右に移動するようになっており、障子の下部には振れ止めを下方に突出して設けてあり、この振れ止めを下枠に設けた凹溝状のレール内に挿入し、障子の下部側をガイドしている（例えば、特許文献１参照。）。
【０００３】
上記した従来の自動ドアでは、下枠のレールが凹溝状に床面から凹んで形成されているため、ハイヒールを履いた女性が自動ドアを通過する際、ヒールの先が下枠のレールに嵌まり込み、転倒したりヒールが破損したりすることがあった。また、レール内にゴミが溜まりやすく、掃除も容易に行えない。そこで本出願人は、下枠のレールを凹溝状ではなく凸状のレールにした上吊引戸を開発し、特許出願している（特願２００３−３００７８６号）。
【特許文献１】特開２００２−７０３９９号公報
【発明の開示】
【発明が解決しようとする課題】
【０００４】
下枠のレールを凸状のレールにする場合、レールが床面から突出するようでは却って通行の妨げとなるから、レールの高さは極力低くする必要がある。そうすると、障子下部のガイド性が凹溝状のレールに比べて劣ることとなって、移動時に障子が横振れしたり、閉鎖時に障子が強風によって煽られやすくなるといった不都合があった。本発明は以上に述べた実情に鑑みて成されたものであって、移動時に戸が横振れせず、閉鎖時に強い風が吹いても戸が煽られ難く、しかも下枠が歩行者や車椅子の通行の妨げとならない上吊引戸の提供を目的とする。
【課題を解決するための手段】
【０００５】
上記の課題を達成するために、請求項１記載の発明による上吊引戸は、下枠と戸を備え、下枠は凸状のレールを有し、戸の下部には振れ止めを設けてあり、振れ止めは、レール上を走行する戸車と、戸車の室内側と室外側に設けた突部とを有し、突部は戸車より下方に突出してレールの室内側と室外側に位置しており、且つ、振れ止めはバネにより下方に付勢してあり、下枠は、戸の閉鎖時における振れ止めの下方位置に振れ止めの突部を収納する凹部を有し、レールは、戸が閉鎖した際に振れ止めが下方に移動できるように、凹部に隣接した部分が凹部に向かって下方に傾斜していることを特徴とする。
【０００６】
さらに請求項２記載の発明による上吊引戸は、下枠は、レールの幅が戸車の幅より大きく、レールの室内側と室外側に突部と対向する平坦面を有すると共に、室内側と室外側の縁部に向かって上方に傾斜する傾斜面を有し、室内側と室外側の縁部の高さがレールと略同じ高さとなっていることを特徴とする。
【発明の効果】
【０００７】
請求項１記載の発明による上吊引戸は、振れ止めの突部が戸車より下方に突出して下枠の凸状のレールの室内側と室外側に位置し、且つ振れ止めはバネにより下方に付勢してあるので、戸の下部が振れ止めにより凸状のレールに確実に案内され、移動時の戸の横振れを防止できると共に、閉鎖時には振れ止めの突部が下枠の凹部に収納されるため、強風を受けても戸が煽られ難い。また、レールの凹部に隣接した部分が凹部に向かって下方に傾斜していることで、戸の開閉に伴って振れ止めの突部が下枠の凹部に出入りし、簡便且つ確実に振れ止めの機能が発揮される。さらに、下枠のレールを凸状にしたので、従来の下枠のように、戸を案内するための凹溝にハイヒールが嵌り込む、ゴミが溜まるといった不都合を解消できる。
【０００８】
請求項２記載の発明によれば、振れ止めとレール間のガイド性を良好に維持しながら、下枠の段差を小さくすることができ、下枠のレールが歩行者や車椅子の通行の妨げとなるのを防止できる。また下枠が、室内側と室外側の縁部に向かって上方に傾斜する傾斜面を有していることで、下枠にゴミが溜まり難い上に清掃も容易に行える。
【発明を実施するための最良の形態】
【０００９】
以下、本発明の実施の形態を図面に基づいて説明する。図６は、本発明の上吊引戸の一実施形態であって、店舗等の出入口に設置される両開きの自動ドアに適用した場合を示している。この自動ドアは、両脇に固定障子１１，１１を備え、中央側に２枚の可動障子２，２を備え、可動障子２は、センサーが人を検知すると互いに離反するように両側に移動して固定障子１１に重なり、一定の時間が経つと自動的に閉鎖する。可動障子２は、上部に設けた上戸車１２を、上枠１３内に設けた上向きのレール１４に引っ掛けて吊下げ、上枠１３，下枠１間に移動自在に保持され、上枠１３内に設けたリニアモータ等の駆動機構（図示省略）により開閉駆動される。なお、可動障子２を上枠のレール１４に吊下げている部分の構造、障子の駆動機構については、本発明の特徴部分ではなく、公知の構成によるものである。
【００１０】
下枠１は、図４（ｃ）に示すように、室内外方向の中央部に凸状のレール３を備え、レール３上面の高さは下枠の室内側と室外側の縁部と略同じ高さとなっている。レール３を挟んで両側には平坦面９，９を形成してあり、平坦面９，９から室内外縁部にかけては上向きに傾斜する傾斜面１０，１０となっている。下枠１は、図１（ｂ）等に示すように、床面１５に形成した溝に埋め込んで設置され、床面１５からレール３がほとんど突出せず、下枠上面の段差も小さいものとなっている。下枠１をこのように形成したことで、従来の自動ドアのように、通過時にハイヒールが下枠の凹溝に嵌り込むことがなく、レール３が歩行者や車椅子の通過の妨げになることもない上に、下枠１にゴミが溜まり難く、傾斜面１０を有しているので清掃も容易に行える。
【００１１】
可動障子２は、図６に示すように、下框１６内部の戸先側と戸尻側の二箇所に、下枠のレール３に係合する振れ止め４を設けてあり、さらに戸先側の端部には、可動障子２を閉鎖状態でロックするためのロック機構１７を備えている。振れ止め４は、滑りの良い硬質樹脂等によって形成され、図１と図２に示すように、下框１６内に固定したケース体１８内に上下動可能に収容され、バネ７により下方に付勢してある。また振れ止め４は、室内外方向の中央部に下面側より溝１９が形成され、その溝内にレール３上を走行する戸車５を配置してある。さらに戸車５の室内側と室外側には、図１（ｂ）に示すように突部６が形成され、突部６は戸車５よりも下方に突出してレール３の室内側と室外側に位置し、突部６の下面が下枠１の平坦面９と隙間を空けて対向している。レール３の横幅は戸車５の横幅よりも大きく、戸車５自体がレール３にガイドされるものではなく、突部６，６の内側面がレール３の外側面にガイドされるため、振れ止め４とレール３間のガイド性が良好で、可動障子２の開閉時の横振れを確実に防止でき、しかも動きがスムーズとなる。さらに戸車５は、図１に示すように周囲の角部を斜めに面取りして山形に形成することで、レール３との接触面積が小さくなって動きが一層スムーズとなっており、また、可動障子２が強風を受けてバタついたときでも、振れ止め４が浮き上がるのを防止し、突部６がレール３から外れるのを防止できる。
【００１２】
さらに、図５と図６に示すように、固定障子下框２０の召し合せ側の端部の室内側面にガイド部材２１が取付けてあり、これに対向して可動障子２の室内側の床面にガイドローラ２２を固定設置してあり、ガイド部材２１とガイドローラ２２とで可動障子の下框１６を前後から挟んで保持することによっても、可動障子２の横振れを防止している。
【００１３】
また下枠１は、可動障子２の閉鎖位置における戸先側の振れ止め４とロック機構１７の下方に位置する部分が、図４（ａ）に示すように、四角い孔２３を明けて室内外の平坦面９とレール３を切除してあり、その孔２３内に、振れ止め４及びロック機構１７の受け部材２４を設置してある。受け部材２４は、図２と図３（ａ）に示すように、可動障子２が閉鎖位置にあるときに振れ止め４の突部６を収納する凹部８と、シリンダーやサムターンの操作によりロック機構１７の下面に出没するストライク２５の受け穴２６とを有している。レール３は、可動障子２が閉鎖したときに突部６が下方に移動して凹部８に落ち込み、且つ可動障子２が開くときには突部６が上方に移動して凹部８から脱するように、凹部８の可動障子２の開き側に隣接する部分に、凹部８に向かって下方に傾斜する傾斜部２７を設けてある。下枠１の平坦面９と凹部８の底面との間にも、同じように傾斜部２８を設けてある。
【００１４】
下枠１が上記のように構成してあるので、可動障子２が閉鎖位置にあるときには、図１（ａ）に示すように振れ止め４の突部６が下枠１の凹部８に落ち込むため、ロック機構１７のストライク２５を受け穴２６に挿入して可動障子２をロックしているときはもとより、ロックしていないときでも、可動障子２が強風によって煽られるのを確実に防止できる。可動障子２が開くときには、振れ止め４の戸車５が傾斜部２７に乗り上げることで振れ止め４が上方に移動し、振れ止め４が下枠のレール３にガイドされる。
【００１５】
本発明は、以上に述べた実施形態に限定されない。可動障子が一枚の、片引きの自動ドアとすることもできる。また本発明の上吊引戸は、障子の駆動機構を有する自動ドアに限らず、障子を手動で開閉するものにも適用できる。
【図面の簡単な説明】
【００１６】
【図１（ａ）（ｂ）】図６におけるＡ部の室内外方向の縦断面図であって、（ａ）は可動障子が閉鎖位置にあって、振れ止めの突部が下枠の凹部に収納された状態、（ｂ）は可動障子が開き位置にあって、振れ止めが下枠のレールに案内されている状態を示している。
【図２】図６のＡ部の縦断面図であって、振れ止めの突部が下枠の凹部に収納された状態を示している。
【図３（ａ）（ｂ）】図６のＡ部の縦断面図であって、（ａ）は可動障子を閉鎖位置でロックしたときの状態、（ｂ）は可動障子が開き位置にあるときの状態を示している。
【図４（ａ）（ｂ）（ｃ）】（ａ）は図６のＡ部における下枠の平面図であり、（ｂ）は（ａ）のＡ−Ａ断面図であり、（ｃ）は（ａ）のＢ−Ｂ断面図である。
【図５】図６におけるＢ部の室内外方向の縦断面図である。
【図６】本発明に係る上吊引戸の一実施形態を示す室内側正面図である。
【符号の説明】
【００１７】
１  下枠
２  可動障子（戸）
３  レール
４  振れ止め
５  戸車
６  突部
７  バネ
８  凹部
９  平坦面
【図１（ａ）（ｂ）】
2005299077.tif 000003
【図２】
2005299077.tif 000004
【図３（ａ）（ｂ）】
2005299077.tif 000005
【図４（ａ）（ｂ）（ｃ）】
2005299077.tif 000006
【図５】
2005299077.tif 000007
【図６】
2005299077.tif 000008